(57)【要約】      （修正有）【課題】矯正治療の各段階に適応する、溝可変なタイムシェアリングセルフロック歯科矯正用ブラケットを提供する。【解決手段】ブラケット本体１と、ブラケット本体の底に歯と接触するブラケット底板２を備え、ブラケット本体にアーチワイヤーの取り付け用溝３を有し、アーチワイヤーに第１アーチワイヤーと第２アーチワイヤーを含み、第１アーチワイヤーの径方向の寸法が前記第２アーチワイヤーの径方向の寸法より小さい。タイムシェアリングセルフロックユニットは溝の側壁に設けられた弾性クランプを含み、弾性クランプ６と溝の側壁との間に寸法可変なチャネルが形成し、チャネルは、アーチワイヤーが溝に出入りするように適合される。第１アーチワイヤーの径方向寸法は、チャネルの最大通過寸法より小さく、第２アーチワイヤーの径方向の寸法はチャネルの最大通過寸法より大きい。【選択図】図１
0003235550.tif 000002
【実用新案登録請求の範囲】
【請求項１】
ブラケット本体とタイムシェアリングセルフロックユニットを含む溝可変なタイムシェアリングセルフロック型歯科矯正用ブラケットであって、
前記ブラケット本体の底に歯と接触するブラケット基板が設けられ、ブラケット本体にアーチワイヤーの取り付け用溝が設けられ、
前記アーチワイヤーは、第1アーチワイヤーと第2アーチワイヤーを含み、
前記第1アーチワイヤーの径方向の寸法は、前記第2アーチワイヤーの径方向の寸法より小さい、
前記タイムシェアリングセルフロックユニットは、溝の側壁に設けられた弾性クランプを含み、
前記弾性クランプと前記溝の側壁との間に寸法可変なチャネルが形成され、
前記チャネルは、アーチワイヤーが溝に出入りするように適合され、
前記第1アーチワイヤーの径方向寸法は、前記チャネルの最大通過寸法より小さく、
前記第2アーチワイヤーの径方向の寸法は前記チャネルの最大通過寸法より大きい、
前記弾性クランプは、第1および第2作動状態を有し、
第１作動状態に当たる時に、前記第1アーチワイヤーは、前記チャネルを通過して溝に入り、セルフロックが形成され、
第2作動状態にあたる時に、前記第2アーチワイヤーは弾性クランプを溝の側壁に近づけるように押し付け、非セルフロックが形成されることを特徴とする、溝可変なタイムシェアリングセルフロック型歯科矯正用ブラケット。
【請求項２】
前記弾性クランプに第1アーチワイヤーの外への移動を制限する第1圧力が設けられ、前記第1アーチワイヤーが取り付けられたら溝から離れる方向に弾性クランプを押し付け、弾性クランプが第2圧力を受け、弾性クランプの受けた第2圧力が歯に対して牽引力を加え、第2圧力が歯の許容牽引力の安全範囲の上限に達すると、前記第1アーチワイヤーの弾性クランプに加える第2圧力が第１圧力より大きい、前記第1アーチワイヤーが溝から抜け出すことを特徴とする、請求項１に記載の溝可変なタイムシェアリングセルフロック歯科矯正用ブラケット。
【請求項３】
前記溝の側壁には、前記溝の幅方向の寸法を大きくして第1アーチワイヤーの前記溝の幅方向に沿った移動範囲を大きくするように凹みが設けられ、
前記弾性クランプの底面に補償部材が設けられ、前記弾性クランプが第1作動状態にある場合、前記補償部材が前記第1アーチワイヤーの溝の深さ方向に沿った移動寸法を減少させ、
前記弾性クランプが第2作動状態にある場合、前記補償部材が前記凹みと、を組み合わせることにより、前記凹みが溝の幅方向に対して増加した寸法を補正し、前記溝の幅方向に沿った第2アーチワイヤーの移動を制限することを特徴とする、請求項１に記載の溝可変なタイムシェアリングセルフロック歯科矯正用ブラケット。
【請求項４】
前記補償部材には弾性補償部材が用いられ、
前記弾性クランプが溝の上にある状態では、前記弾性補償部材は、第1アーチワイヤーに押し付けられた後に弾性に変形し、前記第1アーチワイヤーの溝の深さ方向に沿った移動寸法を可変とすることを特徴とする、請求項3に記載の溝可変なタイムシェアリングセルフロック歯科矯正用ブラケット。
【請求項５】
前記弾性補償部材と前記凹みと当接して弾性変形が発生しない場合、前記弾性クランプと溝の側壁との間に角度が形成され、
前記弾性クランプは、第2アーチワイヤーに押し付けられた後、前記弾性補償部材に弾性変形が発生することで、前記弾性クランプが溝の側壁に密着して当接するようになることを特徴とする、請求項4に記載の溝可変なタイムシェアリングセルフロック歯科矯正用ブラケット。
【請求項６】
前記弾性補償部材は弾性曲げ板を含み、
前記弾性曲げ板の片側の辺は前記弾性クランプと連結し、その他片側の辺は前記弾性曲げ板と前記弾性クランプとが角度を形成させるように懸垂されることを特徴とする、請求項４又は５に記載の溝可変なタイムシェアリングセルフロック歯科矯正用ブラケット。
【請求項７】
前記弾性曲げ板の両側はそれぞれ前記弾性クランプと連結し、前記弾性曲げ板が弾性クランプと連結している両側の間の部分は曲がっていることを特徴とする、請求項6に記載の溝可変なタイムシェアリングセルフロック歯科矯正用ブラケット。
【請求項８】
前記補償部材には硬性補償部材が用いられ、前記硬性補償部材は、第1アーチワイヤー又は第2アーチワイヤーに押し付けられても弾性変形が起こらなく、前記第2アーチワイヤーが溝に入れた後、前記硬性補償部材が前記凹みと組み合わせることにより、前記弾性クランプと前記溝の側壁との間は比較的に固定されるようになることを特徴とする、請求項3に記載の溝可変なタイムシェアリングセルフロック歯科矯正用ブラケット。
【請求項９】
第2アーチワイヤーの前記溝内での移動を制限するように前記弾性クランプの長さは前記溝の長さと同じであることを特徴とする、請求項４又は8に記載の溝可変なタイムシェアリングセルフロック歯科矯正用ブラケット。
【請求項１０】
前記弾性クランプには第3作動状態があり、第3作動状態にある時、前記弾性クランプは溝から離れる方向に曲がることができ，
前記チャネルの通過寸法は前記第2アーチワイヤーの径方向の寸法より大きい、
前記第2アーチワイヤーが溝に入ったら、前記弾性クランプは溝の上まで戻り、第2アーチワイヤーに対してセルフロックになり、前記第2アーチワイヤーと溝との間に隙間があることを特徴とする、請求項2に記載の溝可変なタイムシェアリングセルフロック歯科矯正用ブラケット。
【請求項１１】
前記弾性クランプには第4作動状態があり、第4作動状態にある弾性クランプは溝から離れる方向に曲がることができ、
弾性クランプは溝とを垂直方向に重なり合わせないようになることを特徴とする、請求項2に記載の溝可変なタイムシェアリングセルフロック歯科矯正用ブラケット。
【請求項１２】
前記弾性クランプには、ブラケット本体に接続された垂直な段が設けられ、前記弾性クランプと垂直な段との間には、前記弾性クランプと垂直な段よりも断裂強度が小さい接続部が設けられていることを特徴とする、請求項11に記載の溝可変なタイムシェアリングセルフロック歯科矯正用ブラケット。
【請求項１３】
前記ブラケット本体には結紮翼が設けられ、前記弾性クランプは、同側の2つの結紮翼の真ん中に設けられ、弾性クランプが2つの結紮翼の溝の外側面に密着するように、連結部に沿って溝から離れる方向に曲がることができることを特徴とする、請求項12に記載の溝可変なタイムシェアリングセルフロック歯科矯正用ブラケット。
【請求項１４】
前記弾性クランプには、溝に対して外側に突出する弧度が設けられ、前記弾性クランプの弧度部分は、第2作動状態において前記第2アーチワイヤーに対して圧力を加え、第2アーチワイヤーを溝内に挟み込み、第2アーチワイヤーと溝との間の隙間を無くすことができることを特徴とする、請求項2に記載の溝可変なタイムシェアリングセルフロック歯科矯正用ブラケット。
【請求項１５】
前記溝の側壁に設置溝が設けられ、前記設置溝は前記凹みの対向側にあり、前記設置溝が前記第1アーチワイヤーの前記溝の幅方向に沿った移動寸法を増やし、また、前記設置溝の口の寸法が前記第2アーチワイヤーの前記溝に入った後の前記溝の深さ方向に沿った径方向の寸法より小さくすることにより、第2アーチワイヤーが設置溝に入らないように制限することを特徴とする、請求項3に記載の溝可変なタイムシェアリングセルフロック歯科矯正用ブラケット。
【考案の詳細な説明】
【技術分野】
【０００１】
本考案は、歯の歯科矯正用ブラケットの分野に関し、特に溝可変なタイムシェアリングセルフロック歯科矯正用ブラケットに関する。
【背景技術】
【０００２】
従来の歯の歯科矯正用ブラケットは、臨床的な結紮方法で従来の結紮型ブラケットとセルフロック型ブラケットの2種類に分けられている。セルフロック型ブラケットは従来の結紮操作の代わりにブラケットのセルフロック構造を用いることで、溝とアーチワイヤーとの摩擦力を小さくした。臨床操作が便利で効率的で、矯正力が柔らかく、歯の移動が速いなどの利点がある。
【０００３】
しかし、現在市販されているセルフロック型ブラケットには、次のような欠点がある。1、セルフロック型ブラケットは第一段階で細いアーチワイヤーを使って歯列を整える時:ひどくずれた歯はアーチワイヤーが完全に位置についてスライドカバーが閉じられた時、歯の受けた力が大きすぎたため、歯が緩んで、根の骨がくっつき、歯の根の吸収するリスクが大きくなり、患者に苦痛を加えた;2、セルフロック型ブラケットは第2段階で太い四角アーチワイヤーを使って歯の根を調整する時、太いアーチワイヤーを溝の中に入れるため、太いアーチワイヤーの寸法は溝の寸法より小さくしなければならない(フルサイズのアーチワイヤーが完全に溝に入りにくかったり、矯正力が大きすぎたりするため)。これにより溝の内壁と太いアーチワイヤーの間に隙間が存在することになる。また、現在のセルフロックカバープレート構造では溝内の太いアーチワイヤーを固定することができない。つまり、太いアーチワイヤーと溝の間の隙間をなくすことができない。これは、ブラケットのプリセットデータ(トルク、軸傾きなど)の正確な表現に直接影響し、治療のコースと効果に影響する。3、ブラケットのセルフロック構造は復雑で、大きな空間が必要とする。セルフロック自体の大きさがわずかであるため、セルフロック構造が大きな空間を占めるとブラケットの翼の外形が小さくて丸めになり、結紮ワイヤーと鎖状の革輪を結びにくくなり、后継品の使用に問題をもたす。4、比較的複雑なセルフロック構造は、生産プロセスへの要求が高い、利用中にセルフロック構造が緩みすぎたり、きつくなったり、破損しやすいという現象が発生しやすい。
【０００４】
また、第2段階では比較的硬いアーチワイヤー(四角アーチワイヤーと円形アーチワイヤーの両方を含む)をブラケットの溝に入れると、歯は矯正力によってアーチワイヤーをレールとして移働する。太い四角アーチワイヤーを利用する場合、四角アーチワイヤーと溝の間の隙間が小さく、摩擦力が大きいため、歯を移働させるのに必要な矯正力が大きい。長所はクラウンと歯根がほとんど一体になって同期に移働するが、短所は消耗する固定源が大きい(移働させたくない歯は移働させてしまう)。逆に、細い円形のアーチワイヤーを使う場合、円形のアーチワイヤーと溝の間の隙間が大きく、摩擦力が小さいため、歯を移動させるのに必要な矯正力が小さい。長所は消耗する固定源が小さい(移働させたくない歯はあまり移働しない)が、クラウンの移動が歯根の移動より大きいため、後期で歯根を垂直にすることで全体の移動が可能になるという欠点がある。これら2種類の技術は矯正歯科の臨床上にそれぞれ長所と短所がある。前者の代表的な技術は直アーチワイヤーの矯正技術で、長所は歯の移働に対するコントロールが比較的良いが、歯列を整える時前歯が唇に傾きやすく、過蓋咬合になりやすいため、固定源を強化する必要がよくある(移動させたくない歯をできるだけ移動させないようにする)。歯科矯正の臨床に広く応用されてる。後者の代表的な技術はTip-Edge技術で、クラウンを斜めに動かしてから歯根を垂直にすることで全体を移動させることになる。利点は、一般的に追加の固定源を必要としないことであるが、後の歯根を垂直にすることおよびトルクコントロールすることが複雑であるため、臨床的な応用は少ない。
【考案の概要】
【考案が解決しようとする課題】
【０００５】
本考案は絶妙な設計と合理的な構造を備えた溝可変なタイムシェアリングセルフロック歯科矯正用ブラケットであり、ブラケットの溝に弾性クランプを設け、矯正治療の各段階及び各種類のアーチワイヤーの適用時に長所を生かし、短所を避ける。
【０００６】
矯正治療の第一段階で、医師は第1アーチワイヤーを押して溝に入れる。操作はとても簡単。また、アーチワイヤーを完全に溝に入れてはいけないようにと医師にしらせ(臨床的にはサスペンションの結紮を行うことができる)、患者に不必要な損傷と苦痛をさせないように、歯が過度な牽引力を受けると、第1アーチワイヤーは自動的に弾性クランプを突破して溝を抜けるように構成している。そしてにさらに構造を最適化することで、矯正の初期に溝が広くなり、アーチワイヤーと溝の隙間が大きくなり、溝の幅方向に沿ったアーチワイヤーの移動を増やし、ある程度の近・遠・中方向の歯の傾きを許容し、前歯の唇への傾きと過蓋咬合を避け、しかも固定源の消耗が少ない(移動させたくない歯はほとんど動かない)。また、矯正の早期に補償部材を利用して溝の深さを浅くし、溝の深さ方向に沿ったアーチワイヤーの移働を減らし、歯のねじりを修正しやすくなる。
【０００７】
矯正治療の第2段階では、第2アーチワイヤーは弾性クランプを溝に直接押し込むことができ、弾性クランプはアーチワイヤーと溝の間に位置することで、溝の幅が狭くなり、アーチワイヤーと溝との幅方向での隙間をなくすことにより、歯に理想的なトルコ、軸傾き角度と位置ができ、歯の軸傾き角度とトルク角度を正確にコントロールし、矯正効果を大幅に向上させた。
【０００８】
また、本実施形態のセルフロック構造は巧妙で実用的で、スペースを取りすぎなく、本考案の結紮翼構造は従来の結紮ブラケットと相違なく、臨床操作で結紮ワイヤーと鎖状の皮輪の配置が容易になる。セルフロック型ブラケット構造全体は生産プロセスに対する要求が高くなく、セルフロック構造は非常に安定し、コストパフォーマンスも高く、従来のセルフロックブ型ラケットおよび矯正技術の問題を殆ど解決する。
【課題を解決するための手段】
【０００９】
前記技術的問題を解決するために本考案が採用した技術的解決策は、溝可変なタイムシェアリングセルフロック型歯科矯正用ブラケットであり、以下のような特徴を有する。
【００１０】
ブラケット本体として、前述したブラケット本体の底に歯と接触するブラケット基板があり、ブラケット本体にアーチワイヤーの取り付け用溝があり、前記アーチワイヤーに第1アーチワイヤーと第2アーチワイヤーがあり、前記第1アーチワイヤーの径方向の寸法が前記第2アーチワイヤーの径方向の寸法より小さい。
【００１１】
タイムシェアリングセルフロックユニットとして、溝の側壁に設けられた弾性クランプを含み、前記弾性クランプと前記溝の側壁との間に寸法可変なチャネルが形成し、前記チャネルは、アーチワイヤーが溝に出入りするように適合され、前記第1アーチワイヤーの径方向寸法は、前記チャネルの最大通過寸法より小さく、前記第2アーチワイヤーの径方向の寸法は前記チャネルの最大通過寸法より大きい。
【００１２】
前記弾性クランプは、第1および第2作動状態を有する。第１作動状態にある時、前記第1アーチワイヤーは、前記チャネルを通過して溝に入り、セルフロックが形成される。第2作動状態にある時、前記第2アーチワイヤーは弾性クランプを溝の側壁に近づけるように押し付け、非セルフロックが形成される。
【００１３】
また、前記弾性クランプに第1アーチワイヤーの外への移動を制限する第1圧力があり、前記第1アーチワイヤーが取り付けられたら溝から離れる方向に弾性クランプを押し付け、弾性クランプが第2圧力を受け、弾性クランプの受けた第2圧力が歯に対して牽引力を加え、第2圧力が歯の許容牽引力の安全範囲の上限に達すると、前記第1アーチワイヤーの弾性クランプに加える第2圧力が第１圧力より大きい、前記第1アーチワイヤーが溝から抜け出す。
また、前記溝の側壁には、前記溝の幅方向の寸法を大きくして第1アーチワイヤーの前記溝の幅方向に沿った移動範囲を大きくするようにみが設けられている。
【００１４】
前記弾性クランプの底面に補償部材が設けられ、前記弾性クランプが第1作動状態にある場合、前記補償部材が前記第1アーチワイヤーの溝の深さ方向に沿った移動寸法を小さくする。前記弾性クランプが第2作動状態にある場合、前記補償部材が前記みとを組み合わせることにより、前記みが溝の幅方向に対して増加した寸法を補正し、前記溝の幅方向に沿った第2アーチワイヤーの移動を制限する。
【００１５】
また、前記補償部材には弾性補償部材が用いられ、前記弾性クランプが溝の上にある状態では、前記弾性補償部材は、第1アーチワイヤーに押し付けられた後に弾性に変形し、前記第1アーチワイヤーの溝の深さ方向に沿った移動寸法を可変とする。
【００１６】
また、前記弾性補償部材と前記みとが当接して弾性変形が発生しない場合、前記弾性クランプと溝の側壁との間に角度が形成される。前記弾性クランプは、第2アーチワイヤーに押し付けられた後、前記弾性補償部材に弾性変形が発生することで、前記弾性クランプが溝の側壁に密着して当接するようになる。
【００１７】
また、前記弾性補償部材には弾性曲げ板を含み、前記弾性曲げ板の片側の辺は前記弾性クランプと連結し、その他片側の辺は前記弾性曲げ板と前記弾性クランプとが角度を形成させるように懸垂される。
また、前記弾性曲げ板の両側はそれぞれ前記弾性クランプと連結し、前記弾性曲げ板が弾性クランプと連結している両側の間の部分は曲がっている。
【００１８】
また、前記補償部材には硬性補償部材が用いられ、前記硬性補償部材は、第1アーチワイヤー又は第2アーチワイヤーに押し付けられても弾性変形が起こらなく、前記第2アーチワイヤーが溝に入れた後、前記硬性補償部材が前記みと組み合わせることにより、前記弾性クランプと前記溝の側壁との間は比較的に固定されるようになる。
また、第2アーチワイヤーの前記溝内での移動を制限するように前記弾性クランプの長さは前記溝の長さと同じである。
【００１９】
また、前記弾性クランプには第3作動状態があり、第3作動状態にある時、前記弾性クランプは溝から離れる方向に曲がることができる。これにより、前記チャネルの通過寸法は前記第2アーチワイヤーの径方向の寸法より大きい、前記第2アーチワイヤーが溝に入ったら、前記弾性クランプは溝の上まで戻り、第2アーチワイヤーに対してセルフロックになり、前記第2アーチワイヤーと溝との間に隙間がある。
【００２０】
また、前記弾性クランプには第4作動状態があり、第4作動状態にある弾性クランプは溝から離れる方向に曲がることができる。これにより、弾性クランプは溝とを垂直方向に重なり合わせないようになる。
【００２１】
また、前記弾性クランプには、ブラケット本体に接続された垂直な段が設けられ、前記弾性クランプと垂直な段との間には、前記弾性クランプと垂直な段よりも断裂強度が小さい接続部が設けられている。
【００２２】
また、前記ブラケット本体には結紮翼が設けられ、前記弾性クランプは、同側の2つの結紮翼の真ん中に設けられ、弾性クランプが2つの結紮翼の溝の外側面に密着するように、連結部に沿って溝から離れる方向に曲がることができる。
【００２３】
また、前記弾性クランプには、溝に対して外側に突出する弧度がり、前記弾性クランプの弧度部分は、第2作動状態において前記第2アーチワイヤーに対して圧力を加え、第2アーチワイヤーを溝内に挟み込み、第2アーチワイヤーと溝との間の隙間を無くすことができる。
【００２４】
また、前記溝の側壁に設置溝が設けられ、前記設置溝は前記みの対向側にあり、前記設置溝が前記第1アーチワイヤーの前記溝の幅方向に沿った移動寸法を増やし、また、前記設置溝の口の寸法が前記第2アーチワイヤーの前記溝に入った後の前記溝の深さ方向に沿った径方向の寸法より小さくすることにより、第2アーチワイヤーが設置溝に入らないように制限する。
【００２５】
上記構造を採用した本考案は、その設計が巧みで合理的で、ブラケットの溝に弾性クランプを設けることで、矯正治療の各段階及び各種類のアーチワイヤーの適用時に長所を生かし、短所を避ける効果がある。
【００２６】
矯正治療の第一段階で、医師は第1アーチワイヤーを押して溝に入れる。操作はとても簡単。また、歯が過度な引き力を受ける時、アーチワイヤーを完全に溝に入れてはいけないことを医師に知らせる(臨床的にはサスペンションの結紮を行うことができる)ように、第1アーチワイヤーは自動的に弾性クランプを突破して溝から抜け出す。患者が不必要な損傷と苦痛を受けないように避ける。そしてさらに構造を最適化することで、矯正の初期に溝が幅広くなり、アーチワイヤーと溝の隙間が大きくなり、溝の幅方向に沿ったアーチワイヤーの移動を増やし、ある程度の近・遠・中方向の歯の傾きを許容し、前歯の唇への傾きと過蓋咬合を避け、しかも固定源の消耗が少ない(移動させたくない歯はほとんど動かない)。 また、矯正の早期に補償部材を利用して溝の深さを浅くし、溝の深さ方向に沿ったアーチワイヤーの移働を減らして、歯のねじりを修正しやすくなる。
【００２７】
矯正治療の第2段階では、第2アーチワイヤーは弾性クランプを溝に直接押し込むことができ、弾性クランプはアーチワイヤーと溝の間に位置することで、溝の幅が狭くなり、アーチワイヤーと溝の幅方向との隙間をなくすことにより、歯に理想的なトルコ、軸傾き角度と位置ができ、歯の軸傾き角度とトルク角度を正確にコントロールし、矯正効果を大幅に向上させた。
【００２８】
また、上記の方式のセルフロック構造は巧妙で実用的で、スペースを取りすぎなく、本考案の結紮翼構造は従来の結紮ブラケットと相違なく、臨床操作で結紮ワイヤーと鎖状の皮輪の配置が容易になる。セルフロックブラケット構造全体は生産プロセスに対する要求が高くなく、セルフロック構造は非常に安定し、コストパフォーマンスも高く、従来のセルフロックブラケットおよび矯正技術の問題をほぼ解決する。
【図面の簡単な説明】
【００２９】
【図１】は本考案の立体構造の概略図である。
【図２】は図1の側面構造の概略図である。
【図３】は本考案の弾性クランプの第1作動状態の構成図である。
【図４】は本考案の弾性クランプの第2作動状態の構成図である。
【図５】は本考案の弾性クランプの第3作動状態の構成図である。
【図６】は本考案の弾性クランプの弧度を有する構造図である。
【図７】は本考案の更なる最適化案の構成図である。
【図８】は図7に示す構造の第1アーチワイヤーを取り付けた後の構造図である。
【図９】は図7に示す構造に第2アーチワイヤーを取り付けた後の構造図である。
【図１０】は本考案の第1アーチワイヤーの取り付けプロセスの構造図である。
【図１１】は本考案が硬性補償部材を用いて第2アーチワイヤーを取り付けた後の構造図である。
【考案を実施するための形態】
【００３０】
本考案の技術的特徴を明確に説明するために、以下、本考案を添付図面に関連して具体的な実施形態によって詳しく説明する。
本出願を十分に理解するために、以下の説明で多くの具体的なディテールを説明するが、本出願は、本明細書に記載されたものと異なる他の態様で実施されてもよく、したがって、本出願の保護範囲は、以下に開示される特定の実施形態によって限定されるものではない
【００３１】
また、本特許出願の説明において、理解してほしいこととして、用語の「中心」、「上」、「下」、「前」、「後」、「左」、「右」、「垂直」、「水平」、「トップ」、「底」、「内」、「外」、「軸方向」、「径方向」、「周方向」等の示す方位又は位置関係は添付図面に示す方位又は位置関係であり、本出願の説明を容易にし、説明を簡略化するためのものであって、記載の装置または要素が特定の方位を有し、特定の方位で構成され、動作しなければならないことを示したり暗示したりするものではないため、本出願の制限と理解してほしくない。
【００３２】
また、「第1」、「第2」という用語は、説明のためにのみ使用され、相対的な重要性を示すまたは暗示する、または、示された技術的特徴の数を暗示するものとして理解してほしくない。したがって、「第1」、「第2」に限定される特徴は、明示的にまたは暗黙的に、1つまたは複数の特徴を含むことができる。本出願の説明では、「複数」は、特に明示的に限定されない限り、2つまたは２つ以上を意味する。
【００３３】
本出願では、「取り付け」、「繋がる」、「接続」、「固定」などの用語は、特に明確に規定、限定されていない限り、固定接続であってもよく、取り外し可能な接続であってもよく、一体であってもよい。機械的接続であってもよく、電気的接続であってもよく、通信であってもよい。直接接続されていてもよく、中間媒体を介して間接的に接続されていてもよく、2つの要素の内部の接続、または2つの要素の相互作用関係であってもよい。本業界の普通の業者にとって、状況に応じて、本出願における上記の用語の具体的な意味を理解することができる。
【００３４】
本出願では、特に明確に規定、限定されていない限り、第1特徴が第2特徴の「上」または「下」にあるのは、第1および第2特徴が直接接触しているものであってもよく、または第1および第2特徴が中間媒体を介して間接的に接触しているものであってもよい。本出願の説明では、参考用語の「好ましい実施形態では」、「特筆すべきは」、「事例」、「具体的に例示」、または「一部の事例」などの表現はこの実施形態や事例とにらみ合わせて説明する特定の特徴、構造、材料または特徴は、本出願の少なくとも1つの実施形態または事例に含まれることを意味している。本出願では、上記の用語の概略的な表現は、必ずしも同じ実施形態または事例を対象としない。さらに、説明された特定の特徴、構造、材料または特徴は、いずれか1つまたは複数の実施形態または事例において適切な方法で組み合わせることができる。
図1‐11に示すように、溝可変なタイムシェアリングセルフロック歯科矯正用ブラケットには、下記が含まれている：
【００３５】
ブラケット本体1、ブラケット本体1の底部に歯と接するブラケット底板2が設けられ、ブラケット本体1には、アーチワイヤーを取り付ける溝3が設けられている。アーチワイヤーには第1アーチワイヤー4と第2アーチワイヤー5があり、第1アーチワイヤー4の径方向寸法が第2アーチワイヤー5の径方向寸法より小さい。
【００３６】
タイムシェアリングセルフロックユニット、溝3の側壁に設けられた弾性クランプ6を含み、弾性クランプ6と溝3の側壁との間に寸法可変なチャネル7が形成され、チャネル7は、アーチワイヤーが溝３に出入りするように適合され、第１アーチワイヤー４の径方向寸法は、チャネル７の最大通過寸法より小さく、第２アーチワイヤー5の径方向の寸法はチャネル７の最大通過寸法より大きい。
【００３７】
弾性クランプ6は、第1および第2作動状態を有する。第１作動状態にある時、第1アーチワイヤー4は、チャネル7を通過して溝3に入り、セルフロックが形成される。第2作動状態にある時、第2アーチワイヤー5は弾性クランプ6を溝3の側壁に近づけるように押し付け、非セルフロックが形成される。
【００３８】
添付図面3と4に示すように、弾性クランプ6には、第1および第2の作動状態を有する。第１作動状態にある時、チャネル7の最大通過寸法の径方向寸法より小さい第1アーチワイヤー4は、チャネル7を通過して溝3に入り、セルフロックが形成される。第2作動状態にある時、チャネル7の最大通過寸法の径方向寸法より大きい第2アーチワイヤー5は弾性クランプ6と溝3の側壁に押し付けられ、隙間を無くすことで非セルフロックが形成される。この状態のアーチワイヤーは結紮で固定する必要がある。ブラケットの予備トルクは正確に表現することができないため、一般的に矯正医はトルクを適切に調整するようにアーチワイヤーを曲げる必要があるが、臨床的にアーチワイヤーのトルクの目盛りを正確にすることは難しいため、トルク力がないか、トルクが大きすぎて歯根より吸収される危険がある。図4に示すように、第2作動状態の弾性クランプ6を溝3に埋め込み、溝3と合わせて直接に第2アーチワイヤー5を挟み込むことにより、第2アーチワイヤー5のトルク表現をより柔らかく安全かつ効率的にし、患者の苦痛及び副作用を軽減した。
【００３９】
更に説明すれば、弾性クランプ6には第1アーチワイヤー4の外側への移動を制限する第1圧力を有し、第1アーチワイヤー4が取り付けられたら、溝3から離れる方向に弾性クランプ6を押し付け、弾性クランプ6が第2圧力を受ける。弾性クランプ6の受けた第2圧力は歯に牽引力を加え、第2圧力が歯の許容牽引力の安全範囲の上限に達すると、第1アーチワイヤー4の弾性クランプ6に加える第2圧力が第１圧力より大きい、第1アーチワイヤー4が溝3から抜け出す。第1アーチワイヤー4が取り付けられたら、溝3の中で移動し、溝3に対して押し付ける力、又は弾性クランプ6に加える第2圧力が生じる。力の作用は相互にあるため、第2圧力は歯に対して対応する牽引力を加える。第2圧力が歯の許容牽引力の安全範囲の上限に達すると、第1アーチワイヤー4及びブラケット1に加える力を調整し、歯を保護して患者が不必要な損傷及び苦痛を受けないように医師に知らせるために、第1アーチワイヤー4は弾性クランプ6を突き破って溝3から飛び出す。
【００４０】
好ましい実施形態では、溝3の幅方向に沿った第1アーチワイヤー4の移動範囲が大きくなるように溝3の幅方向の寸法を大きくするように溝3の側壁に凹み8が設けられている。
【００４１】
弾性クランプ6の底面には、弾性クランプ6が第1作動状態にある時溝3の深さ方向に沿った第1アーチワイヤー4の移動寸法を小さくする補償部材9が設けられている。弾性クランプ6が第2作動状態にある時、補償部材9は凹み8と組み合わせることで、凹み8が溝3の幅方向に対して増加した寸法を補い、溝3の幅方向に沿った第2アーチワイヤー5の移動を制限する。利用する時、弾性クランプ6が第1作動状態（即ち歯の矯正治療初期）にある時、溝3は大きくなり、第1アーチワイヤー4と溝3との間の隙間は大きくなり、第1アーチワイヤー4の溝3の幅方向に沿った移動を増やし、ある程度の近・遠・中方向の歯の傾きを許容し、前歯の唇への傾きと過蓋咬合を避け、しかも固定源の消耗が少ない(移動させたくない歯はほとんど動かない); また、弾性クランプ6の第1作動状態にある時、溝3の深さは補償部材9によって浅くなり、溝3の深さ方向に沿った第1アーチワイヤー4の移働を減らして、歯のねじりを修正しやすくなる。弾性クランプ6が第2作動状態（即ち歯矯正治療の後期）にある時、需要に応じて溝3の幅を狭くして、第2アーチワイヤー5と溝3との幅方向での隙間をなくすことにより、歯に理想的なトルコ、軸傾き角度と位置ができ、歯の軸傾き角度とトルク角度を正確にコントロールし、矯正効果を向上させる。
【００４２】
特筆すべきは、第1アーチワイヤー4の溝3の幅方向に沿った移動寸法を大きくすることができれば、凹み8の具体的な形状は、実際の加工利用状況に応じて任意に設定することができる。また、凹み8が溝3の幅方向に対して増加した寸法を補えれば、補償部材9の具体的な外形は凹み8に合わせて設定することができる。
【００４３】
好ましい実施形態では、補償部材9は弾性補償部材901を採用し、弾性クランプ6が溝3の上にある時、弾性補償部材901が第1アーチワイヤー4に押し付けられて弾性変形し、第1アーチワイヤー4の溝3の深さ方向に沿った移動寸法は可変になる。弾性補償部材901を採用した後、第1アーチワイヤー4の溝3の深さ方向に沿った移動寸法は小さくなり、その移動が制限され、しかも弾性補償部材901が第1アーチワイヤー4に押し付けられて弾性変形したため、第1アーチワイヤー4への牽引力に対して緩衝作用をもたらし、歯に加える力が更に安全で優しい、しかも、第1アーチワイヤー4の溝3の深さ方向に沿った移動寸法は可変になり、適応性も効果もよりよくなる。
【００４４】
説明しなければならないこととして、弾性補償部材901と凹み8とが当接して弾性変形が発生しない場合、弾性クランプ6と溝3の側壁との間に角度が形成される。弾性クランプ6は、第2アーチワイヤー5に押し付けられた後、弾性補償部材901に弾性変形が発生することで、弾性クランプ6が溝3の側壁に密着して当接するようになる。従来の技術でブラケットの予備トルクは正確に表現することができないため、一般的に矯正医はトルクを適切に調整するようにアーチワイヤーを曲げる必要があるが、臨床的にアーチワイヤーのトルクの目盛りを正確にすることは難しいため、トルク力がないか、トルクが大きすぎて歯根より吸収される危険がある。図9に示すように、本案の弾性クランプ6が第2作動状態にある時、第2アーチワイヤー5を溝3に埋め込んだ後、弾性補償部材901が凹み8に挟み込まれ、弾性クランプ6が溝3の側壁と合わせて直接に第2アーチワイヤー5を挟み込むことにより、第2アーチワイヤー5のトルク表現をより柔らかく安全かつ効率的になり、矯正医師のアーチワイヤー曲げの難しさ及び操作の難しさをダウンし、患者の苦痛及び副作用を軽減した。
【００４５】
好ましい実施形態では、弾性補償部材901には弾性曲げ板を含み、弾性曲げ板の片側の辺は弾性クランプ6と連結し、その他片側の辺は弾性曲げ板と弾性クランプ6とが角度を形成させるように懸垂される。弾性曲げ板には片側が弾性クランプ6と連結する方式を採用することで、第1アーチワイヤー4への制限及び凹み8への補足を両立できる。実際に利用される場合、実施可能条件がある。
【００４６】
好ましい実施形態では、弾性曲げ板の両側はそれぞれ前記弾性クランプ6と連結し、弾性曲げ板が弾性クランプ6と連結している両側の間の部分は曲がっている。弾性曲げ板が押し付けられたら、その外形が弾性的に変形し、即ち、弾性補償部材の形態が変化する。弾性曲げ板の両端が固定され、弾性クランプ6に連結し、弾性補償部材901が力を受けても安定で、弾性変形と回復能力は更に安定で、信頼性も高く、寿命が長い。弾性曲げ板の両端連結の構造安定性と信頼性は前記片端が固定され、片端が懸垂される方式より信頼性がもっと高い、最適化形態である。
【００４７】
特筆すべきは、弾性曲げ板と弾性クランプ6の連結位置が弾性クランプ6とブラケット本体1の連結端から離れている。片側端部に接続された弾性曲げ板の荷重を考慮した上で、わざと弾性曲げ板と弾性クランプ6の連結位置を弾性クランプ6とブラケット本体1の連結端から離れるようにした。この時、弾性曲げ板は第1アーチワイヤー4に対して良好な制限および緩衝作用を与えるだけでなく、弾性クランプ6が第2作動状態にあるときに凹み8を効果的に補い、弾性クランプ6の位置を特定することができる。
【００４８】
代替案では、補償部材9には硬性補償部材902を採用し、硬性補償部材902が第1アーチワイヤー4または第2アーチワイヤー5に押し付けられた後に弾性変形が生じず、第2アーチワイヤー5が溝に取り付けられた後、硬性補償部材902と凹み8が組み合わされ、弾性クランプ6と溝3の側壁間の位置が相対的に固定される。添付図面10に示すように、弾性クランプ6が第2作動状態にある時、第2アーチワイヤー5を溝3に埋め込み、硬性補償部材902が凹み8に挿入されることより、弾性クランプ6の位置が固定され、弾性クランプ6が溝3と組み合わせて直接に第2アーチワイヤー5を挟み込むことにより、第2アーチワイヤー5のトルク表現をより柔らかく安全かつ効率的になった。
【００４９】
好ましい実施形態では、第2アーチワイヤーの溝内での移動を制限するように弾性クランプ6の長さは溝3の長さと同じである。本形態は弾性クランプ6が溝3の長さ方向をカバーするのに十分でないため、弾性クランプ6の長さ方向と溝3との間のカバーされていない位置に第2アーチワイヤーがずれ、トルク角の正確な表現に影響を与えることを避けることができる。
【００５０】
特筆すべきは、弾性クランプ6には第3作動状態があり、第3作動状態にある時、弾性クランプ6は溝3から離れる方向に曲がることができる。これにより、チャネル7の通過寸法は第2アーチワイヤー5の径方向の寸法より大きい、第2アーチワイヤー5が溝3に入ったら、弾性クランプ6は溝3の上まで戻り、第2アーチワイヤー5に対してセルフロックになり、第2アーチワイヤー5と溝3との間に隙間がある。
【００５１】
弾性クランプ6の第3作動状態に比べると、代替可能なもう一つの実施形態では、弾性クランプ6に第4作動状態があり、第4作動状態の弾性クランプ6は溝3から離れる方向に曲がることができる。これにより、弾性クランプ6は溝3とを垂直方向に重なり合わせないようになる。弾性クランプ6は垂直方向で溝3から離れ、後続の非セルフロック状態を保証する。
【００５２】
好ましい実施形態では、弾性クランプ6が第4作動状態を容易にするために、弾性クランプ6とブラケット本体1との連結の安定性を高めるために、前記弾性クランプ6にブラケット本体1に連結する垂直な段10を設け、弾性クランプ6と垂直な段10の間に接続部11を設け、接続部11の断裂強度は弾性クランプ6と垂直な段10の断裂強度より小さい。弾性クランプ6と垂直な段10とが一体化され、垂直な段10はブラケット本体1に接続することより、弾性クランプ6の設置が安定で正確である。更に具体的には、垂直な段10とブラケット本体1と一体化にすることより、更に安定である。又は溶接の方式で垂直な段とブラケット本体1とを連結する。
【００５３】
好ましい実施形態では、ブラケット本体1には結紮翼13が設けられ、弾性クランプ6は、同側の2つの結紮翼13の真ん中に設けられ、弾性クランプ6が2つの結紮翼13の溝14の外側面に密着するように、連結部に沿って溝3から離れる方向に曲がることができる。利用する時、弾性クランプ6を断裂させないように結紮翼13の真ん中の溝14に近づけるように曲げる。結紮翼10はアーチワイヤーを簡単に結紮固定できるように設計している。接続部11には断裂強度が弾性クランプ6と垂直な段10より小さい材料を利用可能とする。又は、接続部11位置の材料利用料を減らして、接続部11の厚さを弾性クランプ6と垂直な段10の厚さより小さくする。弾性クランプ4が正常に作動することを保証する同時に、接続部11を折り曲げる効果がある。
【００５４】
特筆すべきは、弾性クランプ6のもう一つの折り曲げる代替案として、弾性クランプ6を直接折る方式で、接続部11に複数の孔を設け、孔の設計により接続部11の位置の断裂強度を低下させ、弾性クランプ6を上に曲げて切断することができる。
【００５５】
好ましい実施形態では、弾力クランプ6が第2アーチワイヤー5を溝3によりよく押し付けて制限するできるように、、弾力クランプ6が溝3に対して外側に突出する弧度を有し、前記弾力クランプ6の弧度が第2作動状態で前記第2アーチワイヤー5に圧力を加えることで、第2アーチワイヤー5が溝3に挟み込まれ、第2アーチワイヤー5と溝3との間の隙間がなくなる。      
【００５６】
好ましい実施形態では、溝3の側壁に設置溝12が設けられ、設置溝12は、凹み8の反対側にあり、溝3の幅方向に沿った第1アーチワイヤー4の移動寸法を増加させるように構成され、また設置溝12の溝口のサイズは、第2アーチワイヤー5が溝3に入った後の溝3の深さ方向に沿った径方向のサイズより小さくすることで、第2アーチワイヤー5の設置溝12への進入を制限する。設けられた設置溝12と凹み8とは対応することで、溝3の幅方向に沿った第1アーチワイヤー4の移動寸法を再び増加させ、歯の近・遠・中方向への傾斜はより適応性が高く、前歯の唇への傾きと過蓋咬合を避け、より良い効果を得ることができる。
【００５７】
上記の具体的な実施形態は、本考案の保護範囲を限定するものではなく、本技術分野の業者にとって、本考案の実施形態によってなされる任意の代替的な改良または変換は、本考案の保護範囲内にある。
本考案で詳しく説明していないものは、本技術分野の業者に周知の技術である。
【符号の説明】
【００５８】
図の中、1、ブラケット本体。2、ブラケット底板。3、溝。4、第1アーチワイヤー。5、第2アーチワイヤー。6、弾性クランプ。7、チャネル。8、凹み。9、補償部材。901、弾性補償部材。902、硬性補償部材。10、垂直な段。11、接続部。12、設置溝。13、結紮翼。14、溝。
【図１】
0003235550.tif 000003
【図２】
0003235550.tif 000004
【図３】
0003235550.tif 000005
【図４】
0003235550.tif 000006
【図５】
0003235550.tif 000007
【図６】
0003235550.tif 000008
【図７】
0003235550.tif 000009
【図８】
0003235550.tif 000010
【図９】
0003235550.tif 000011
【図１０】
0003235550.tif 000012
【図１１】
0003235550.tif 000013